(57)【特許請求の範囲】
【請求項１】
バルブアセンブリのためのマルチシートボンネットであって、
前記マルチシートボンネットを前記バルブアセンブリに固定するように構成されたロッキング機構；
マルチシートボンネットの端部且つボンネット開口部の周囲に配置された第１シーリング面であって、マルチシートボンネットが高圧マニホールドと係合するとき高圧ボンネットシールを形成するため高圧マニホールドの高圧シートと係合するように構成された第１シーリング面；及び
マルチシートボンネットが低圧マニホールドと係合するとき低圧ボンネットシールを形成するため低圧マニホールドの低圧シートと係合するように構成された第２シーリング面
を含み、
高圧ボンネットシールは、低圧ボンネットシールよりも高い圧力定格を含み、
マルチシートボンネットは、高圧マニホールド又は低圧マニホールドのいずれか一方と係合する、
マルチシートボンネット。
【請求項２】
ステムが高圧シート又は低圧シートのいずれか一方と係合するように、前記バルブアセンブリの前記ステムが開口部を越えて突出できるように、ボンネット開口部が構成される、請求項１記載のマルチシートボンネット。
【請求項３】
第１シーリング面が高圧シートと係合するように、前記第１シーリング面が、前記ボンネット開口部に隣接して位置付けられた、請求項２記載のマルチシートボンネット。
【請求項４】
第１シーリング面が高圧シートの１つ以上の面と係合するように、
前記第１シーリング面が、
前記ボンネット開口部の第１側面に隣接して配置された第１の面部分と、前記ボンネット開口部の第２側面に隣接して配置された第２の面部分とを含む、請求項３記載のマルチシートボンネット。
【請求項５】
前記第１の面部分と前記第２の面部分が、前記高圧シートの高圧シート面と係合して、高圧バウンダリを形成する、請求項４記載のマルチシートボンネット。
【請求項６】
前記高圧バウンダリが、前記高圧シートを漏れから防ぐ、請求項５記載のマルチシートボンネット。
【請求項７】
前記高圧シートが、１０，０００ＰＳＩの圧力定格を含む、請求項１記載のマルチシートボンネット。
【請求項８】
前記第２シーリング面が、第１の面部分と第２の面部分とを含み、
第１の面部分と第２の面部分が、それぞれ、前記低圧シートの第１低圧シート面と第２低圧シート面と係合する、請求項１記載のマルチシートボンネット。
【請求項９】
前記第１の面部分と前記第２の面部分が、それぞれ、前記第１シーリング面に対して４５度の角度で各々伸長する、請求項８記載のマルチシートボンネット。
【請求項１０】
前記低圧シートが、６，０９２ＰＳＩの圧力定格を含む、請求項１記載のマルチシートボンネット。
【請求項１１】
前記ロッキング機構が、ボンネットロックを含む、請求項１記載のマルチシートボンネット。
【請求項１２】
バルブ本体；
前記バルブ本体内に配置されたステムであって、高圧マニホールドの高圧シート又は低圧マニホールドの低圧シートのいずれか一方と係合することで流体の流れを制限するように構成されたステムチップを含むステム；
前記バルブ本体を取り囲むマルチシートボンネット、を含み、
前記マルチシートボンネットは
前記ステムが前記バルブ本体から突出できるように構成された開口部；
開口部の端部に配置された第１シーリング面であって、マルチシートボンネットが高圧マニホールドと係合するとき高圧マニホールドの高圧シートと高圧ボンネットシールを形成するように構成された第１シーリング面；
マルチシートボンネットが低圧マニホールドと係合するとき低圧マニホールドの低圧シートと低圧ボンネットシールを形成するように構成された第２シーリング面を含み、
第１シーリング面は、第２シーリング面よりも高い圧力定格を含み、
マルチシートボンネットは、高圧マニホールド又は低圧マニホールドのいずれか一方と係合する、マルチ圧力バルブアセンブリ。
【請求項１３】
前記ステムに結合されたハンドルをさらに含み、前記ハンドルは、前記ステムがボンネット開口部を越えて突出するように作動可能である、請求項１２記載のマルチ圧力バルブアセンブリ。
【請求項１４】
前記第１シーリング面が、１０，０００ＰＳＩの圧力定格に準拠した高圧シートで第１のシールを形成するように構成された、請求項１２記載のマルチ圧力バルブアセンブリ。
【請求項１５】
前記第２シーリング面が、６，０９２ＰＳＩの圧力定格に準拠した低圧シートで第２のシールを形成するように構成された、請求項１２記載のマルチ圧力バルブアセンブリ。
【請求項１６】
前記第２シーリング面が、第１の部分と第２の部分とを含み、前記第１及び第２の部分は、前記第１シーリング面に関して斜めに伸長するように構成された、請求項１２記載のマルチ圧力バルブアセンブリ。
【請求項１７】
前記高圧シートは高圧マニホールドアセンブリの高圧チャネル内に位置付けられ、
前記低圧シートは低圧マニホールドアセンブリの低圧チャネル内に位置付けられ、
高圧ボンネットシールは流体が前記高圧チャネルを漏れ出るのを防ぐ圧力バウンダリを形成し、
低圧ボンネットシールは、流体が前記低圧チャネルを漏れ出ることを防ぐ圧力バウンダリを形成する、請求項１２記載のマルチ圧力バルブアセンブリ。
【請求項１８】
マニホールドでマルチシートバルブアセンブリを据え付ける方法であって、
マルチシートボンネットを前記マルチシートバルブアセンブリに固定することと；
前記マルチシートボンネットを圧力チャネル中に挿入することと；
前記圧力チャネルの第１シーリング面を、マルチシートボンネットの第１ボンネットシーリング面と係合すること、圧力チャネルの第２シーリング面を、マルチシートボンネットの第２ボンネットシーリング面と係合すること、第１シーリング面がマルチシートボンネットの端部且つボンネット開口部の周囲に配置されることと；
前記マルチシートバルブアセンブリを前記マニホールドにシーリングすること；を含み、
第１ボンネットシーリング面は、第２ボンネットシーリング面とは異なる圧力定格を含む方法。
【請求項１９】
前記マニホールドに準拠した圧力適用を決定することをさらに含む、請求項１８記載の方法。
【発明の詳細な説明】
【背景技術】
【０００１】
本開示は、一般的にプロセス圧力測定に関連する。より具体的には、限定によるものではなく、本開示は、多様な圧力定格をサポートするように構成された機械的特徴を有する圧力トランスミッタアセンブリに関連する。
【０００２】
現在、幅広い様々なプロセス環境がある。プロセス環境は、有益な出力としてプロセス変量を提供する１つ以上のシステムを含み得る。用語プロセス変量は、一般的に化学的又は物理的特徴のようなプロセスの特徴を指し、これはプロセス中の様々な要因に基づいて変化し得る。プロセス変量の例は、圧力、温度、流れ、伝導率、ｐＨ、及び他の特性を含み得る。プロセス環境を監視することの１つの目標は、プロセス測定を得ることである。例えば、圧力は、一般的に２つの圧力の差である流れの測定のために使用される基本的なプロセス変量であると考えられる。
【０００３】
プロセス測定を得るために、多くのプロセス環境はプロセストランスミッタを含む。プロセストランスミッタは普通、感知要素で測定されたプロセス変量に応答するセンサを含む。感知要素は、記録及び／又は制御のための出力として、変量を標準化された伝送信号に変換する。工業プロセス、例えば、スラリー、液体、化学物質中の蒸気及び気体、パルプ、石油、気体、薬剤、食品、並びにその他のプロセスプラントを非限定的に含む様々なプロセス環境での様々なプロセス変量を測定するために、工業プロセストランスミッタが使用され得る。プロセストランスミッタのある特定のタイプは、液体圧力トランスミッタを含む。
【０００４】
圧力トランスミッタは典型的に、マニホールドによってプロセスに結合される。よってマニホールドは、プロセスとトランスミッタとの間のアセンブリであり得、測定のために、プロセス流体を１つ以上のチャネルを通してトランスミッタに運ぶ。マニホールドは、一体型のマニホールド、従来のマニホールド、インラインのマニホールド、及び／又は、共面のマニホールドで見られるものを含む様々なチャネル構成を含み得る。例として、マニホールドとその関係付けられたチャネル構成は、モデル３０４、モデル３０４、モデル３０５、及びモデル３０６マニホールドの商品名で、Rosemount Inc. of Chanhassen, Minnesotaから市販されているものを含み得る。
【０００５】
マニホールドの各チャネルは、プロセス流体の流れを制御するために、バルブアセンブリによって開けられ、又は閉められ得る。バルブアセンブリは、一般的にプロセス試料を分離し、プロセス流れを均等化し、及び／又は、プロセスからの流体フローを排出する、若しくは流出させるように作動する。共面マニホールドは特に、任意の数のバルブを、例えば２つ、３つ、又は５つのバルブ構成を有し得る。マニホールドは典型的に、圧力トランスミッタ分離を提供する少なくとも１つのバルブを有する。例えば、分離バルブは、圧力センサにつながるマニホールド内で、試料チャンバに対して又は別のエリアに対して、流体チャネルを開けるように又は閉めるように動かされる。
【０００６】
プロセスに使用されるマニホールドの特定のタイプは、いくつかの要因に依存し得る。１つとして、それはサンプリングされることになるプロセス流体のタイプに依存し得る。例えば、化学溶液は、共面マニホールドにより適しているが、水ベースの溶液は、一体型のマニホールドにより適している。しかしながら、さらに重要なことに、マニホールドとその関係付けられた構成要素、例えばバルブアセンブリの選択は、プロセス流体の圧力に依存し得る。いくつかのプロセス環境において、マニホールドアセンブリに対する２つの主要な圧力定格がある。これは６，０９２ポンド毎平方インチ（ＰＳＩ）の低圧定格と、１０，０００ＰＳＩ以上の高圧定格を含む。さらに、一部の工業規格は、プロセスによって生成されるものよりも遥かに高い圧力定格で製品が検査されることを要求する。例えば一部の製品は、プロセスで観測される圧力定格の４倍で認定を合格しなければならない。
【発明の概要】
【０００７】
バルブアセンブリ構成のためのマルチシートボンネットが、本明細書中で開示される。マルチシートボンネットは、マルチシートボンネットをバルブアセンブリに固定するように構成されたロッキング機構を含み得る。さらに、マルチシートボンネットは、高圧シートと係合するように構成された第１シーリング面に加え、低圧シートと係合するように構成された第２シーリング面を含む。
【図面の簡単な説明】
【０００８】
【図１】本発明の実施態様が特に有用である圧力トランスミッタの概略図である。
【図２】本発明の１つの実施態様にしたがった、バルブアセンブリの横断面図である。
【図３Ａ】本発明の１つの実施態様にしたがった、高圧マニホールドアセンブリの横断面図である。
【図３Ｂ】本発明の１つの実施態様にしたがった、高圧マニホールドアセンブリに据え付けられたマルチシートバルブアセンブリの横断面図である。
【図３Ｃ】本発明の１つの実施態様にしたがった、高圧マニホールドアセンブリに据え付けられたマルチシートバルブアセンブリ及びガスケットの横断面図である。
【図４Ａ】本発明の１つの実施態様にしたがった、低圧マニホールドアセンブリの横断面図である。
【図４Ｂ】本発明の１つの実施態様にしたがった、低圧マニホールドアセンブリに据え付けられたマルチシートバルブアセンブリの横断面図である。
【図４Ｃ】本発明の１つの実施態様にしたがった、低圧マニホールドアセンブリに据え付けられたマルチシートバルブアセンブリ及びガスケットの横断面図である。
【図５】本発明の１つの実施態様にしたがった、マルチシートバルブアセンブリを据え付ける方法の概略図である。
【図６Ａ】本発明の１つの実施態様にしたがった、高圧マニホールドアセンブリの実例となる図である。
【図６Ｂ】本発明の１つの実施態様にしたがった、低圧マニホールドアセンブリの実例となる図である。
【発明を実施するための形態】
【０００９】
例示的実施態様の詳細な説明
マニホールドアセンブリは従来、特定の圧力定格を満たすように設計される。圧力定格に基づいて、マニホールド内の内部チャネル数、これらのチャネルの直径、及びチャネルのポート寸法は変化し得る。圧力定格により変化し得るマニホールドのある特定の特徴は、バルブシートである。バルブシートは一般的に、バルブアセンブリと係合するマニホールドの内部チャネルにインターフェースを含む。この交点の１つの機能は、流体漏れを防ぐシーリング面を提供することである。
【００１０】
バルブシートと、したがってシートと係合するバルブは、典型的に高圧定格又は低圧定格のいずれかにしたがって設計されるが、両方ではない。これは理想的ではない。２つの異なるバルブアセンブリを使用することは、バルブ在庫を活用するのを難しくし、２つの異なる製品ラインを維持することを要求する。これは望ましくないことに、製造コストを増大させ得る。代替的に、高圧バルブアセンブリは、低圧及び高圧シートの両方で使用され得る。しかしながらこれもまた、低圧マニホールドに不当な製造及び設計の抑止を課すので理想的ではない。例えば、高圧バルブアセンブリを調整するために、あるものは低圧マニホールド内の内部チャネル数とその寸法を制限する必要があるだろう。
【００１１】
単一のバルブが多様な圧力定格で使用され得ることは、本明細書中で一般的に提供される。例えば、単一のバルブアセンブリ設計が異なるバルブシートに対して使用され得、バルブシートのそれぞれは異なる圧力定格にしたがって設計される。マルチ圧力定格バルブアセンブリは、マニホールド内のチャネルの位置付けと、これらのチャネルのポート寸法に関して最大の柔軟性を可能にし得る。これは製造コストを低減させて製品管理を合理化する一方で、工業規格の要件にも準拠している。
【００１２】
図１は、共面マニホールド１０８に結合された圧力トランスミッタ１００の概略図である。圧力トランスミッタ１００は例示的に、センサ区画１０４に結合された電子ハウジング１０２を含み、センサ区画１０４はさらにアイソレータアセンブリ１０６に結合されている。アイソレータアセンブリ１０６がマニホールド１０８にさらに結合されていることが、実例として示される。マニホールド１０８は例示的に、プロセス流体を受け得る複数のプロセス流体入口１１０及び１１２を含む。圧力トランスミッタ１００は、複数のバルブアセンブリ１１４及び１１６をさらに含む。バルブアセンブリ１１４及び１１６のそれぞれは、マニホールド１０８内のチャネル開口部内で受けられる。
【００１３】
図２は、本発明の１つの実施態様にしたがったバルブアセンブリ２００の横断面図である。バルブアセンブリ２００は、バルブとマニホールドの間の通路を開けること、閉めること、又は部分的に妨げることによって、プロセス流体の流れを制御するように構成される。図２中に、バルブアセンブリ２００が実例としてバルブ本体２０２を含むことが示される。バルブ本体２０２は、アクチュエータ２２２に結合されたバルブステム２０４を受けるように構成される。アクチュエータ２２２は、バルブ本体２０２内でステム２０４を垂直に（例えば上下に）動かすように係合（例えば回転）され得る。例えば、バルブ本体２０２は、内部表面に、ステム２０４のねじ山付き部分を受ける少なくとも１つのねじ山付き部分を有する。よってステム２０４が本体２０２内で回転されると、バルブ開口部２２４からステムチップ２０６を突出させる又は収納するように、ステムがねじ山と係合する。ステム２０４は、締め付けナット２０８によりバルブ本体２０２に固定され得る。１つの特定の例では、締め付けナット２０８は、バルブ本体２０２に関してステム２０４を固定するために、バルブ本体２０２でねじ山と係合し得る。
【００１４】
本発明の１つの実施態様にしたがうと、バルブアセンブリ２００はまた、ボンネット２１６を含む。ボンネット２１６は、バルブアセンブリ２００に関して様々な用途を務め得る。製造において、ボンネット２１６は、バルブ本体２０２に固定されて、ステム２０４が通過する本体２０２の部分を取り囲む。ボンネット２１６は、バルブ本体２０２に対して、溶接、ボルト締め配置、又は別の構成を非限定的に含む様々な方法で固定され得る。図２中で例示的に示されるように、ボンネット２１６は、ボンネットロック２１０でバルブ本体２０２に固定される。
【００１５】
ボンネット２１６のバルブ本体２０２への取り付けが圧力バウンダリを形成するので、バルブ本体はマニホールドアセンブリと係合するとき漏れないようにされる。さらに図２中に含まれるように、バルブ本体２０２の内部部分に沿って、パッキン輪２１２及びパッキン２１４が、ボンネット２１６及びステム２０４の少なくとも一部分を係合するように構成されていることが示される。パッキン輪２１２及びパッキン２１４は、バルブ本体２０２に関してボンネット２１６を固定するのを助ける様々な材料を含み得る。例えば、パッキン２１４は、ポリテトラフルオロエチレン（ＰＴＦＥ）、グラファイトベースの材料、又はフッ素エラストマー（ＦＫＭ）材料のうちのいずれかを含み得る。
【００１６】
バルブアセンブリ２００は、マルチシートバルブアセンブリとして利用されるように構成されるので、バルブは高圧マニホールドシート及び低圧マニホールドシートの両方で使用され得る。高圧及び低圧のマニホールドは、それらのシート配置において変化し得るが、ボンネット２１６は、両方の圧力定格シート設計での使用のために構成されることが本明細書中で提供される。例えば、ボンネット２１６は、１０，０００ＰＳＩ以上での高圧定格、及び／又は、６，０９２ＰＳＩでの低圧定格に準拠したシートを係合するように構成される。
【００１７】
ボンネット２１６のある特定の特徴は、マルチシーリング面配置を含む。ボンネット２１６は例示的に、参照番号２１８Ａ及び２１８Ｂによって概して表される部分を有する第１シーリング面を含む。図２は一般的に切断面を描いているので、部分２１８Ａ及び２１８Ｂが、開口部２２４の周囲を通る同一の第１シーリング面を示すことに留意されたい。議論の目的のためだけに、部分２１８Ａ及び２１８Ｂは、第１シーリング面２１８として概して記述される。第１シーリング面２１８は、高圧シートの１つ以上の面に対してシーリングし得る。例えば、シーリング面２１８は、１０，０００ＰＳＩ以上の定格圧力シートの１つ以上の面と係合する。第１シーリング面２１８は、ボンネット２１６のバルブ開口部２２４と実質的に隣接する。高圧流体のために設計されたシーリング面に加えて、ボンネット２１６は例示的に、部分２２０Ａ及び２２０Ｂによって概して表される第２シーリング面を含む。図２は一般的に切断面を描いているので、部分２２０Ａ及び２２０Ｂが、ボンネット２１６の外部部分の周囲を通る同一の第２シーリング面を示すことに留意されたい。議論の目的のためだけに、部分２２０Ａ及び２２０Ｂは、第２シーリング面２２０として概して記述される。第２シーリング面２２０は、低圧マニホールドシート設計での使用のために構成され得る。例えば、第２シーリング２２０は、６，０９２ＰＳＩ定格圧力シートの１つ以上の面と係合する。したがって１つの実施態様では、ボンネット２１６はマルチシートボンネットを含む。よって、バルブアセンブリ２００はバルブアセンブリ２００の再設置又は再構築を要求することなく、多様な異なる圧力定格のために設計されたバルブシートと係合し得る。異なる圧力定格に対して、より少ない部品及び製品アセンブリが要求されるので、このことは製造コストを低減し、据え付けを助けることの両方をなし得る。
【００１８】
別の実施態様において、ボンネット２１６は、多様なシーリング面でシーリングするように構成され、これにより重複するシールを生成する。例えば、シーリング面２１８及び２２０は、マニホールドアセンブリの１つ以上のシート面と実質的に同時に係合し得る。
【００１９】
図３Ａは例示的に、高圧マニホールドアセンブリ３００の横断面図を示す。高圧マニホールドアセンブリ３００は実例として、プロセス流体入口３０４とプロセス流体出口３０６とを有するマニホールド本体３０２を含む。プロセス流体は、プロセス流体入口３０４で受けられて、例えばプロセス流体出口３０６を介して排出され得る。したがって、矢印３２２によって概して示される方向で流体が入口３０４中に流れ得ることが例示的に示される。流体は、矢印３２４によって概して示される方向で出口３０６の外に流れ得る。１つの実施態様では、高圧マニホールドアセンブリ３００は、１０，０００ＰＳＩ以上の圧力定格である。勿論、マニホールドアセンブリ３００は、他の様々な圧力定格で使用され得る。
【００２０】
高圧マニホールドアセンブリ３００はさらに、高圧シート面３１０を有する高圧チャネル３０８を実例として含む。高圧シート面３１０は、チャネル３０８の末端部分３１８の近くに配置されることが示される。１つの実施態様では、高圧チャネル３０８は、チャネル内でマルチシートバルブアセンブリの少なくとも一部分を受けるように構成される。例えば、高圧シート３１２と障害が形成され得るように、バルブアセンブリはチャネル３０８内で受けられる。漏れを防いで、適切なシールをチャネル３０８で確実にするために、バルブアセンブリは、高圧シート面３１０に対してシーリングするように構成されたボンネット設計を含み得る。
【００２１】
図３Ｂは、本発明の１つの実施態様にしたがった、高圧マニホールドアセンブリ３２０に据え付けられたマルチシートバルブアセンブリ２００の横断面図である。図３Ｂでは、ボンネット２１６がシート面３１０と係合するように、マルチシートバルブアセンブリ２００が高圧チャネル３０８で受けられることが示される。図２に関して上記で議論されたように、ボンネット２１６は、高圧シーリング面２１８を含み、これはチャネル３０８の末端部分３１８に又は末端部分３１８の近くに配置された高圧シート面３１０と係合し得る。動作において、作動するアクチュエータ２２２は、高圧シート面３１０と高圧シート３１２に対して、ステムチップ２０６を移動し得る。ステムチップ２０６が高圧シート３１２と係合するとき、ステムチップは、プロセス流体が入口３０４と出口３０６の間を流れるのを制限するように障害を形成する。１つの実施態様では、チャネル３０８内の高圧シート３１２は、低圧設計のものよりも小さな直径シーリング面を有し、したがって内部チャネルへのより小さなアクセスを提供する。内部チャネルへのアクセスのレベルに関わらず、ボンネット２１６は、高圧チャネル３０８に関して、高圧シート面３１０でシーリングするように構成される。よって、マルチシートバルブアセンブリ２００は、バルブアセンブリ又はマニホールドのいずれかを著しく変えることなく、マニホールドアセンブリの１０，０００ＰＳＩ以上の定格高圧シートに据え付けられ得る。例えば、マルチシートバルブアセンブリ２００は、１０，０００ＰＳＩ以上の定格であるインラインのマニホールド設計で据え付けられ得る。
【００２２】
図３Ｃは、本発明の１つの実施態様にしたがった、高圧マニホールドアセンブリに据え付けられたマルチシートバルブアセンブリ及びガスケットの横断面図である。１つの実施態様において、ボンネット２１６は、第１シーリング面２１８の部分２１８Ａ及び２１８Ｂで、又は部分２１８Ａ及び２１８Ｂの近くで、ガスケット３１４と係合するように構成される。例えば、ガスケット３１４は、シーリング面２１８Ａ、２１８Ｂと、マニホールド本体３０２、特にシート面３１０との間に配置される。ガスケット３１４は、材料の一定の組み合わせにより、シーリング面（例えば、シート面３１０）を改善し得る。
【００２３】
図４Ａは、本発明の１つの実施態様にしたがった、低圧マニホールドアセンブリ４００の横断面図を示す。低圧マニホールドアセンブリ４００は、マニホールド本体４０２、プロセス流体入口４０４、プロセス流体出口４０６、及び低圧チャネル４０８を例示的に含む。プロセス流体は、プロセス流体入口４０４によって受けられて分配され得るので、流体は、例えばプロセス流体出口４０６を介してプロセス流れに戻る。したがって、一般的に矢印４２４によって示される方向で、流体が入口４０４中に流れ得ることが例示的に示される。流体は、一般的に矢印４２６によって示される方向で、出口４０６の外に流れ得る。１つの実施態様では、低圧マニホールドアセンブリ４００の圧力定格は、６，０９２である。勿論、マニホールドアセンブリ４００は、他の様々な低圧定格で使用され得る。
【００２４】
１つの実施態様において、低圧チャネル４０８は、高圧マニホールド設計（例えば、高圧マニホールドアセンブリ３００）のものより広い直径のシーリング面を有する。この増大された直径は、より多数の内部連結チャネルに対してマニホールド内で付加的な空間を可能にし得る。例えば、低圧マニホールドアセンブリ４００は、共面一体型マニホールド設計にしたがって使用され得る。１つの実施態様では、低圧チャネル４０８は、チャネル内のマルチシートバルブアセンブリの少なくとも一部分を受けるように構成される。例えば、低圧シート４１２と障害が形成され得るように、バルブアセンブリはチャネル４０８内で受けられる。漏れを防いで、適切なシールをチャネル４０８で確実にするために、バルブアセンブリは、低圧シーリング面に対してシーリングするように構成されたボンネット設計を含み得る。
【００２５】
低圧チャネル４０８は例示的に、低圧シート面４１０Ａ及び４１０Ｂを含む。図４Ａにおいて、内部チャネル４０８への増大されたアクセスを提供する一方で、バルブがシーリング面に係合できるように、低圧シート面４１０Ａ及び４１０Ｂは、チャネル開口部４２２に近接していることが示される。１つの実施態様では、シート面４１０Ａ及び４１０Ｂは単一のシート面の部分であり、参照番号４１０によって概して表され、チャネル４０８の周囲に伸長する。図４は一般的に断面図を図示するので、シート面４１０は、部分４１０Ａ及び４１０Ｂに関してさらに説明される。
【００２６】
図４Ｂは、低圧シート４２０に据え付けられたマルチシートバルブアセンブリ２００の横断面図である。図２に関して上記で議論されたように、マルチシートバルブアセンブリ２００は、低圧シート構成に対するシーリングのための（部分２２０Ａ及び２２０Ｂを有する）第２シーリング面２２０を含む。よって、第２シーリング面２２０は、低圧チャネル４０８のシート面４１０Ａ及び４１０Ｂを係合することが示される。シート面４１０Ａ及び４１０Ｂは、それぞれ、チャネル壁４１６及び４１８によって定義された軸に対して４５度の角度で伸長し得る。さらに、ボンネット２１６のシーリング面２１８（例えば、部分２１８Ａ及び２１８Ｂ）は、シート面４１０Ａ及び４１０Ｂから水平に伸長するシーリング面の一部分と係合し得る。
【００２７】
動作において、ステム２０４は、低圧シート４１２に向かってステムチップ２０６を移動させるように沈められ得る。ステムチップ２０６は、低圧シート４１２に関して障害を形成し得る。このような障害がステムチップ２０６と低圧シート４１２の間で形成されたとき、流体は、低圧入口４０４と低圧出口４０６の間を通過するのを妨げられる。
【００２８】
図４Ｃは、本発明の１つの実施態様にしたがった、低圧マニホールドアセンブリに据え付けられたマルチシートバルブアセンブリ及びガスケットの横断面図である。１つの実施態様において、ボンネット２１６は、低圧シーリング面２２０Ａ及び２２０Ｂで、又は低圧シーリング面２２０Ａ及び２２０Ｂの近くで、ガスケット４１４と係合するように構成される。例えば、ガスケット４１４は、シーリング面２２０Ａ、２２０Ｂと、マニホールド本体４０２、特にシート面４１０Ａ及び４１０Ｂとの間に配置される。ガスケット４１４は、材料の一定の組み合わせを有するシーリング面（例えば、シート面４１０Ａ及び４１０Ｂ）を改善し得る。
【００２９】
図５は、マルチシートバルブアセンブリ５００を据え付ける方法の概略図を示す。方法５００は例示的に、ブロック５０２で概して示されるように、圧力適用を決定することを含む。圧力適用は、プロセスのタイプと、圧力トランスミッタで使用されるマニホールドアセンブリのタイプとに基づいて幅広く変化し得る。例えば、ブロック５１２で示されるように、高圧適用が決定され得る。高圧適用を決定することは、プロセスが、インラインのマニホールドでのバルブシート設計と、１０，０００ＰＳＩ以上の圧力定格とを有するバルブシート設計を含むことを決定することを含み得る。さらに、ブロック５１４で示されるように、低圧適用が決定され得る。低圧適用を決定することは、プロセスが、６，０９２ＰＳＩの圧力定格を有する一体型共面マニホールド設計を含むことを決定することを含み得る。勿論、ブロック５１６で示されるように、他の様々な圧力適用が決定され得る。したがって、単一のボンネット設計は、様々な圧力適用に対応する異なる特徴を有する多様なバルブシートで利用され得ることが、本明細書中で意図される。
【００３０】
ブロック５０４で、方法５００は、マルチシートボンネットをバルブアセンブリに固定することを含む。１つの実施態様において、方法５００にしたがったマルチシートボンネットは、図２に関して議論されたボンネット２１６を含む。溶接すること、ねじ山付きナットでボンネットを固定すること、接着剤を適用すること、又は他の様々な固定機構を非限定的に含む様々な方法で、マルチシートボンネットはバルブアセンブリに固定され得る。マルチシートボンネットをバルブアセンブリに溶接することは、ブロック５１８で概して示される。マルチシートボンネットをボンネットロックによりバルブアセンブリに固定することは、ブロック５２０で概して示される。さらに、他の様々な固定機構（例えば、ロールピンを利用すること）が、ブロック５２２で示されるように、マルチシートボンネットをバルブ本体に固定するのに使用され得る。別の実施態様では、マルチシートボンネットは、圧入を使用することを含む固定機構でバルブ本体に固定され得る。マルチシートボンネットをバルブアセンブリに固定することは、様々な構成部品をバルブ本体内のそれぞれの部分に固定するための機構を提供し得る。さらに、マルチシートボンネットを固定することは、ボンネットとバルブ本体の間に圧力バウンダリを形成し得、これはマニホールドチャネルに対して外部である環境への、プロセス流体の任意の漏れを防ぐことを助け得る。
【００３１】
ブロック５０６で、バルブアセンブリは圧力チャネル中に挿入される。バルブアセンブリを圧力チャネル中に挿入することは、圧力チャネルの少なくとも一部分の中にマルチシートボンネットを挿入することを含み得る。本発明の実施態様にしたがうと、マルチシートボンネットは様々な異なる圧力チャネルで使用され得るが、それらが異なるプロセス環境での使用のためにその圧力定格に基づいて設計上変化するからである。例えば、ブロック５２４で示されるように、本明細書で議論される実施態様にしたがったバルブアセンブリは、高圧シート設計中に挿入され得る。１つの実施態様において、ブロック５２４の高圧シート設計は、１０，０００ＰＳＩの圧力定格であるシートを含む。さらに、ブロック５２６で示されるように、本明細書中で議論される実施態様にしたがったバルブアセンブリは、低圧シート設計中にも挿入され得る。１つの実施態様で、ブロック５２６の低圧シート設計は、６，０９２ＰＳＩの圧力定格であるシートを含む。勿論、バルブアセンブリは、ブロック５２８で示されるように、他の圧力シート設計中に挿入され得る。
【００３２】
ブロック５０８で、方法５００は、シーリング面をボンネットに係合することを例示的に含む。例えば、マルチシートボンネットの高圧シーリング面は、高圧チャネルの高圧シーリング面と係合する。さらに、マルチシートボンネットの低圧シーリング面は、低圧チャネルの低圧シーリング面と係合する。
【００３３】
ブロック５１０で、バルブアセンブリは、マルチシートボンネットを使用して、マニホールドにシーリングされる。バルブアセンブリをマルチシートボンネットでシーリングすることは、ボンネットのシーリング面とマニホールドシートのシーリング面の間の交点に接着剤を適用することを含み得る。さらに、バルブアセンブリをマルチシートボンネットでシーリングすることは、ボンネットをマニホールドシートに溶接することを含み得る。さらに、バルブアセンブリをマルチシートボンネットでシーリングすることは、障害を形成するためにシートと係合するように、バルブアセンブリのハンドルを作動してステムチップを移動させることを含み得る。１つの実施態様において、マルチシートボンネット（例えばボンネット２１６）は、ボンネットのものに対して外部にある任意のシーリング機構なしで、高圧シート又は低圧シートのいずれかに堅くシーリングするように構成される。例えば、マルチシートボンネットの大きさは、マニホールドの内部チャネル通路で固定圧力ロックを形成するようにされている。
【００３４】
図６Ａは、本発明の１つの実施態様にしたがった、高圧マニホールド６００の一例の概略図である。１つの実施態様で、高圧マニホールド６００は、トランスミッタインターフェース６０２でトランスミッタに結合するように構成されたインラインのマニホールド設計を含む。高圧マニホールド６００はまた例示的に、プロセス流体が外部環境に経路をとるか、又はプロセス自体の中に戻るように、プロセス流体の出口を提供するように構成され得る出口インターフェース６０４を含む。高圧マニホールド６００はさらに、複数のバルブアセンブリ６０６及び６０８を例示的に含み、これはバルブマニホールド内に据え付けられて示される。バルブアセンブリ６０６及び６０８は、本明細書中で説明された実施態様によるマルチシートボンネット設計を含み得る。
【００３５】
図６Ｂは、本発明の実施態様にしたがった低圧マニホールド６１０の一例の概略図である。低圧マニホールド６１０は例示的に、圧力トランスミッタに伝達可能に結合され得るトランスミッタインターフェース６１２を含む。低圧マニホールド６１０はさらに、プロセス流体を外部環境に提供するか、又はプロセス流体をプロセス自体の中に戻るように経路をとる出口インターフェース６１４を含む。１つの実施態様において、低圧マニホールド６１０は、マニホールド６１０内に据え付けられて示される複数のバルブアセンブリ６１６、６１８、及び６２０を有する一体型共面マニホールドを含む。バルブアセンブリ６１６、６１８、及び６２０は、本明細書中で説明された実施態様による様々な圧力定格シート設計で使用されるように構成されたマルチシートボンネットを含み得る。例えば、高圧マニホールド６００及び低圧マニホールド６１０に関して議論されたバルブアセンブリは交換可能であり得るので、バルブアセンブリの取り外しは、バルブアセンブリ（例えばバルブアセンブリ２００）を異なるマニホールドに移動することを要求しない。むしろ、バルブアセンブリで組み込まれた単一のボンネットは、異なるマニホールド設計のそれぞれにしたがった異なる圧力要件に順応する様々な圧力シート設計に対して使用され得る。
【図１】
0006943962.tif 000002
【図２】
0006943962.tif 000003
【図３Ａ】
0006943962.tif 000004
【図３Ｂ】
0006943962.tif 000005
【図３Ｃ】
0006943962.tif 000006
【図４Ａ】
0006943962.tif 000007
【図４Ｂ】
0006943962.tif 000008
【図４Ｃ】
0006943962.tif 000009
【図５】
0006943962.tif 000010
【図６Ａ】
0006943962.tif 000011
【図６Ｂ】
0006943962.tif 000012